(57)【特許請求の範囲】
【請求項１】
多入力多出力（ＭＩＭＯ）通信システムの無線通信のための方法であって、
周期的遅延ダイバーシティ（ＣＤＤ）送信方式を用いて複数の送信アンテナから送信され、１つ以上の受信アンテナから受信されたシンボルに基づいて１つのプレアンブルシーケンスを復号化すること、
復号化された前記プレアンブルシーケンスに基づいて、前記送信アンテナの数を決定すること、
前記受信されたシンボルの送信に使用される前記周期的遅延ダイバーシティ（ＣＤＤ）送信方式を決定すること、
送信アンテナの決定された前記数及び前記周期的遅延ダイバーシティ（ＣＤＤ）送信方式に少なくとも部分的に基づいてチャネル推定を行うこと、
を含む、方法。
【請求項２】
復号化された前記プレアンブルシーケンスに基づいて前記送信アンテナの数を決定することは：
前記プレアンブルシーケンスを送信するために使用された前記送信アンテナの数を決定することを含む、請求項１の方法。
【請求項３】
前記プレアンブルシーケンスを復号化することは：
受信された復調済プレアンブルシーケンスを前記送信アンテナの異なる数に対応する複数の既知のプレアンブルシーケンスに相互相関させることを含む、請求項１の方法。
【請求項４】
前記プレアンブルシーケンスは一定振幅及びゼロ自己相関（ＣＡＺＡＣ）シーケンスで送信され、
受信された復調済プレアンブルシーケンスを複数の既知のプレアンブルシーケンスに相互相関させることは受信された前記復調済プレアンブルシーケンスを前記送信アンテナの異なる数に対応する複数の既知のＣＡＺＡＣシーケンスと相互相関させることを含む、請求項３の方法。
【請求項５】
チャネル推定を行うことは前記受信アンテナ及び送信アンテナの複数の対に対してチャネル推定を行うことを含む、請求項１の方法。
【請求項６】
多入力多出力（ＭＩＭＯ）通信システムの無線通信のための方法であって、
送信に使用する送信アンテナの数を決定すること、
前記送信アンテナの異なる数に対応する複数のプレアンブルシーケンスから、前記送信アンテナの決定された前記数に対応するプレアンブルシーケンスを選択すること；
周期的遅延ダイバーシティ（ＣＤＤ）送信方式を用いて、決定された前記数の送信アンテナから、選択された前記プレアンブルシーケンスを送信すること；
受信機がチャネル推定に基づくフィードバック情報を受信すること；
を含み、決定された前記数の送信アンテナは、複数の送信アンテナを含み、前記チャネル推定は送信アンテナの前記数及び前記周期的遅延ダイバーシティ（ＣＤＤ）送信方式の知識に部分的に基づいて計算される、方法。
【請求項７】
選択された前記プレアンブルシーケンスは、前記送信アンテナの異なる数に対応する複数のＣＡＺＡＣシーケンスから選択される一定振幅及びゼロ自己相関（ＣＡＺＡＣ）シーケンスである、請求項６の方法。
【請求項８】
多入力多出力（ＭＩＭＯ）通信システムの無線通信のための装置であって、
ハードウェアで実施され、周期的遅延ダイバーシティ（ＣＤＤ）送信方式を用いて複数の送信アンテナから送信され、１つ以上の受信アンテナから受信されたシンボルに基づいて、１つのプレアンブルシーケンスを復号化するロジックと、
ハードウェアで実施され、復号化された前記プレアンブルシーケンスに基づいて、前記送信アンテナの数を決定するロジックと、
ハードウェアで実施され、前記受信されたシンボルの送信のために使用される前記周期的遅延ダイバーシティ（ＣＤＤ）送信方式を決定するロジックと、
ハードウェアで実施され、送信アンテナの決定された前記数及び前記周期的遅延ダイバーシティ（ＣＤＤ）送信方式に少なくとも部分的に基づいてチャネル推定を行うロジックと、
を含む、装置。
【請求項９】
前記送信アンテナの数を決定する前記ロジックは前記プレアンブルシーケンスを送信するために用いられた前記送信アンテナの数を決定するように構成される、請求項８の装置。
【請求項１０】
前記プレアンブルシーケンスを復号化する前記ロジックは：
受信された復調済プレアンブルシーケンスを前記送信アンテナの異なる数に対応する複数の既知のプレアンブルシーケンスと相互相関させるように構成される、請求項８の装置。
【請求項１１】
前記プレアンブルシーケンスは一定振幅及びゼロ自己相関（ＣＡＺＡＣ）シーケンスで送信され、
受信された前記復調済プレアンブルシーケンスを複数の既知のプレアンブルシーケンスと相互相関することは、受信された前記復調済プレアンブルシーケンスを前記送信アンテナの異なる数に対応する複数の既知のＣＡＺＡＣシーケンスと相互相関させることを含む、請求項１０の装置。
【請求項１２】
チャネル推定を行う前記ロジックは前記受信アンテナ及び送信アンテナの複数の対に対してチャネル推定を行うロジックを含む、請求項８の装置。
【請求項１３】
多入力多出力（ＭＩＭＯ）通信システムの無線通信のための装置であって、
周期的遅延ダイバーシティ（ＣＤＤ）送信方式を用いて複数の送信アンテナから送信され、１つ以上の受信アンテナから受信されたシンボルに基づいて、１つのプレアンブルシーケンスを復号化する手段と、
復号化された前記プレアンブルシーケンスに基づいて、前記送信アンテナの数を決定する手段と、
前記受信されたシンボルの送信に使用される前記周期的遅延ダイバーシティ（ＣＤＤ）送信方式を決定する手段と、
送信アンテナの決定された前記数及び前記周期的遅延ダイバーシティ（ＣＤＤ）送信方式に少なくとも部分的に基づいてチャネル推定を行う手段と、
を具備する装置。
【請求項１４】
前記送信アンテナの数を決定する前記手段は前記プレアンブルシーケンスを送信するために用いられた前記送信アンテナの数を決定するように構成される、請求項１３の装置。
【請求項１５】
前記プレアンブルシーケンスを復号化する前記手段は、受信された復調済プレアンブルシーケンスを前記送信アンテナの異なる数に対応する複数の既知のプレアンブルシーケンスに相互相関させるように構成される、請求項１３の装置。
【請求項１６】
前記プレアンブルシーケンスは一定振幅及びゼロ自己相関（ＣＡＺＡＣ）シーケンスで送信され、
前記受信された復調済プレアンブルシーケンスを複数の既知のプレアンブルシーケンスと相互相関させることは、前記受信された復調済プレアンブルシーケンスを送信アンテナの異なる数に対応する複数の既知のＣＡＺＡＣシーケンスと相互相関させることを含む、請求項１５の装置。
【請求項１７】
前記チャネル推定を行う手段は前記受信アンテナ及び送信アンテナの複数の対に対してチャネル推定を行う手段を含む、請求項１３の装置。
【請求項１８】
多入力多出力（ＭＩＭＯ）通信システムの無線通信のためのコンピュータプログラムであって、
周期的遅延ダイバーシティ（ＣＤＤ）送信方式を用いて複数の送信アンテナから送信され、１つ以上の受信アンテナから受信されたシンボルに基づいて、１つのプレアンブルシーケンスを復号化する命令と、
復号化された前記プレアンブルシーケンスに基づいて、前記送信アンテナの数を決定する命令と、
前記受信されたシンボルの送信に使用される前記周期的遅延ダイバーシティ（ＣＤＤ）送信方式を決定する命令と、
送信アンテナの決定された前記数及び前記周期的遅延ダイバーシティ（ＣＤＤ）送信方式に少なくとも部分的に基づいてチャネル推定を行う命令と、
を含む、コンピュータプログラム。
【請求項１９】
前記復号化プレアンブルシーケンスに基づいて、前記送信アンテナの数を決定する前記命令は、
前記プレアンブルシーケンスを送信するために使用された送信アンテナの前記数を決定する命令を、含む、請求項１８のコンピュータプログラム。
【請求項２０】
前記プレアンブルシーケンスを復号化する前記命令は、
受信された復調済プレアンブルシーケンスを前記送信アンテナの異なる数に対応する複数の既知のプレアンブルシーケンスと相互相関させる命令を、含む請求項１８のコンピュータプログラム。
【請求項２１】
前記プレアンブルシーケンスは一定振幅及びゼロ自己相関（ＣＡＺＡＣ）シーケンスで送信され、
受信された前記復調済プレアンブルシーケンスを複数の既知のプレアンブルシーケンスと相互相関させる命令は、前記受信復調プレアンブルシーケンスを前記送信アンテナの異なる数に対応する複数の既知のＣＡＺＡＣシーケンスと相互相関させる命令を含む、請求項２０のコンピュータプログラム。
【請求項２２】
前記受信アンテナ及び送信アンテナの複数の対に対してチャネル推定を行う命令を含む、請求項１８のコンピュータプログラム。
【請求項２３】
復号化された前記プレアンブルシーケンスに基づいて、送信アンテナの前記数を決定することは、復号化された前記プレアンブルシーケンスの前記コンテンツから送信アンテナの前記数を決定することを含む、請求項１の方法。
【請求項２４】
送信アンテナの前記数を決定する前記ロジックは、復号化された前記プレアンブルシーケンスの前記コンテンツから送信アンテナの前記数を決定するロジックを含む、請求項８の装置。
【請求項２５】
送信アンテナの前記数を決定する前記手段は、復号化された前記プレアンブルシーケンスの前記コンテンツから送信アンテナの前記数を決定する手段を含む、請求項１３の装置。
【請求項２６】
送信アンテナの前記数を決定する前記命令は、復号化された前記プレアンブルシーケンスの前記コンテンツから送信アンテナの前記数を決定する命令を含む、請求項１８のコンピュータプログラム。
【発明の詳細な説明】
【技術分野】
【０００１】
本開示は、一般にＭＩＭＯ通信システムに関し、特に、モバイル加入者との初期同期中に基地局で使用する送信アンテナの数を決定する方法に関する。
【背景技術】
【０００２】
多入力多出力（ＭＩＭＯ）無線通信システムはより信頼性ある通信及び／又は改善されたデータスループットを可能にする、送信及び受信ダイバーシティを達成するために複数の送信及び受信アンテナを利用する。複数の送信アンテナが利用可能であるが、ＭＩＭＯシステムにおいてプレアンブル又は初期同期信号は典型的には基地局で１つの有効送信アンテナだけを利用することによってモバイル加入者に送られる。これは、初期アクセスの間、加入者が基地局でアンテナの数を知らないという事実による。その結果、複数のアンテナに対して固有の特徴としての送信ダイバーシティは、初期アクセスの期間には利用されない。
【０００３】
ＩＥＥＥ  ８０２．１６ｍ規格  の開発において、同報チャネル（ＢＣＨ）が基地局とのモバイル加入者の初期同期に続いてモバイル加入者によって復号される必要がある。ＢＣＨは、初期アクセスを可能にするためにシステム全体パラメータを含むことができる。更に、ＢＣＨは複数の送信アンテナを利用することによって送信することができる。パイロットをＢＣＨメッセージのために提供する代わりに、周期的遅延ダイバーシティ（ＣＤＤ）方式は、多数のアンテナからプレアンブルの遅延コピーを送信するために利用することができる。これを達成するために、基地局によって利用される送信アンテナの数に関する情報及びチャネル推定値は、ＢＣＨメッセージを復号する前に得る必要がある。
【０００４】
故に、理想的にはモバイル加入者との初期同期の期間に、基地局で利用される送信アンテナの数を伝える技術が必要である。
【発明の概要】
【０００５】
本開示の特定の実施形態は、多入力多出力（ＭＩＭＯ）通信システムの無線通信のための方法、システム、装置及びコンピュータプログラム製品を提供する。方法は、一般的に複数の受信アンテナから受信されるシンボルに基づいてプレアンブルシーケンスを復号すること、復号プレアンブルシーケンスに基づいてプレアンブルシーケンスを送信するために使用される多数の送信アンテナを決定することを含む。
【０００６】
本開示の特定の実施形態は、多入力多出力（ＭＩＭＯ）通信システムの無線通信のための方法、システム、装置及びコンピュータプログラム製品を提供する。方法は、一般的に送信に使用する多くの送信アンテナを決定すること、異なる数の送信アンテナに対応する複数のプレアンブルシーケンスから、決定された数の送信アンテナに対応するプレアンブルシーケンスを選択すること、決定された数の送信アンテナから選択されたプレアンブルシーケンスを送信することを含む。
【０００７】
本開示の上記特徴は詳細に理解できるように、上記に簡潔に要約されている特定の説明が実施形態を参照して記載できる。実施形態の幾つかは添付図面に示されている。しかし、添付図面はこの開示の特定の典型的実施形態だけを示しており、故に、その範囲を制限すると判断されるべきでなく、説明は他の等価な有効な実施形態を許容することができる。
【図面の簡単な説明】
【０００８】
【図１】本開示の特定の実施形態に従った多数の基地局及び多数の加入者ステーションを備える無線通信システムを示す。
【図２】本開示の特定の実施形態に従ったＩＥＥＥ  ８０２．１６の時分割二重（ＴＤＤ）モードのための実施例フレーム構造を示す。
【図３】本開示の特定の実施形態に従った基地局及び加入者局の設計の実施例ブロック図を示す。
【図４】本開示の特定の実施形態に従ったＯＦＤＭ復調器の設計のブロック図を示す。
【図５】本開示の特定の実施形態に従ったＭ＝４つの送信アンテナを備える無線システムの実施例周期的遅延ダイバーシティ（ＣＤＤ）送信方式を示す。
【図６】本開示の特定の実施形態に従った図３の基地局の変調器の設計の実施例ブロック図を示す。
【図７】基地局で使用するアンテナの数を決定し、本開示の特定の実施形態に従って初期同期の期間にＭＩＭＯチャネルを推定するための加入者局での検出器の実施例ブロック図を示す。
【図８】本開示の特定の実施形態に従って使用する送信アンテナの数を示しているシーケンスによって、送信ダイバーシティを用いてプレアンブルシーケンスを送信するための実施例動作を示す。
【図８Ａ】図８に示される動作を実行することができる実施例コンポーネントを示す。
【図９】本開示の特定の実施形態に従って、基地局で使用する送信アンテナの数を決定し、初期同期の期間にＭＩＭＯチャネルを推定するための実施例動作を示す。
【図９Ａ】図９に示される動作を実行することができる実施例コンポーネントを示す。
【発明を実施するための形態】
【０００９】
本開示の特定の実施形態のために、基地局は複数の送信アンテナからプレアンブルシーケンスを送信することによって初期同期の期間に送信ダイバーシティを適用することができる。プレアンブルシーケンスは、送信中に使用される送信アンテナの数を伝えるために選択することができる。その結果、適切にプレアンブルシーケンスを復号した後に、受信移動局（又は加入者局）はチャネル推定を可能にするために基地局で使用するアンテナの数を知ることができる。このように、送信ダイバーシティの利点を可能にすることができる特定の実施形態はアイステムアクセスに使用されるシステム管理パラメータを含めることができる８０２．１６ｍの放送チャネル（ＢＣＨ））のような初期同期信号を送信するときに達成できる。
【００１０】
各々が基地局で使用される異なる数の送信アンテナと関連する一組のプレアンブルシーケンス（各々）を確保することによって、移動局は同時に同期を得ることができて、送信アンテナの数を決定することができる。送信アンテナの数を知った上で、移動局は、例えば、プレアンブルシーケンスを送信するために用いる送信方式（例えばＣＤＤ）の知識に基づいて、ＭＩＭＯチャネル推定を実行することができる。
【００１１】
用語「典型的」は、ここでは、「実施例として寄与する、事例、又は具体例」を意味するために用いる。「典型的」としてここで記載されているあらゆる実施形態は他の実施形態を超えて好ましい又は有利であるとして解釈さる必要はない。
【００１２】
ここに記載されている技術は、さまざまな通信システム、例えば、符号分割多数のアクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、単搬送波ＦＤＭＡ（ＳＣ−ＦＤＭＡ）システム、空間分割多数のアクセス（ＳＤＭＡ）システム、無線ローカルエリアネットワーク（ＷＬＡＮｓ）、などに使用されてもよい。用語「システム」及び「ネットワーク」は、しばしば交換可能に使用される。ＯＦＤＭＡシステムは、空中インターフェース、例えば、ウルトラモバイル広帯域（ＵＭＢ）、発生ＵＴＲＡ（Ｅ−ＵＴＲＡ）、ＩＥＥＥ  ８０２．１１（Ｗｉ−Ｆｉとも称される）、ＩＥＥＥ  ８０２．１６（ＷｉＭＡＸとも称される）、ＩＥＥＥ  ８０２．２０、フラッシュＯＦＤＭ、などを実施できる。これら種々の空中インターフェース及び標準は、従来技術において周知である。
【００１３】
明確にするため、技術の特定の態様はＷｉＭＡＸとして後述し、ＷｉＭＡＸの用語が下記の説明の多くにおいて使われる。ＷｉＭＡＸは、２００４年１０月１日付で「Part 16: Air Interface for Fixed and Mobile Broadband Wireless Access Systems」と名称づけられたＩＥＥＥ  ８０２．１６及び日付２００６年２月２８日付で「Part 16: Air Interface for Fixed and Mobile Broadband Wireless Access Systems; Amendment 2: Physical and Medium Access Control Layers for Combined Fixed and Mobile Operation in Licensed Bands」と名称付けられるＩＥＥＥ  ８０２．１６ｅに説明されている。これらの文書は、公的に利用できる。技術がＷｉＭＡＸのために開発された新規な空中インターフェースであるＩＥＥＥ８  ０２．１６ｍにも使用できる。
【００１４】
図１は、複数の基地局（ＢＳ）１１０及び複数の加入者局（ＳＳ）１２０を持つ無線通信システム１００を示す。基地局は、加入者局に対して通信をサポートする局であり、機能、例えば、接続、管理及び加入者局の制御を実行することができる。基地局は、また、ノードＢ、発展ノードＢ、アクセスポイント、などと呼ぶことができる。システムコントローラ１３０は、基地局１１０に接続でき、これらの基地局に対して調整及び制御をすることができる。
【００１５】
加入者局１２０はシステムの全体にわたって分散することができ、各加入者局は静止型又は移動型であってもよい。加入者局は、移動局、端末、アクセス端末、ユーザ装置、加入者装置、加入者局、などと呼ぶことができる。加入者局は、携帯電話、パーソナル携帯情報機器（ＰＤＡ）、無線装置、無線モデム、携帯装置、ラップトップコンピュータ、コードレス電話、などであってもよい。加入者局は、ダウンリンク（ＤＬ）及び／又はアップリンク（ＵＬ）上の基地局と通信することができる。ダウンリンク（又は順方向リンク）は基地局から加入者局への通信リンクを参照し、アップリンク（又は逆方向リンク）は加入者局から基地局への通信リンクを参照する。
【００１６】
図２は、ＩＥＥＥ  ８０２．１６の時分割二重（ＴＤＤ）モードのための実施例フレームワーク２００を示す。通信スケジュールは、フレーム単位で区分けできる。各々のフレームは、所定の時間分、例えば、５ミリ秒（ｍｓ）に及ぶことができ、ダウンリンクサブフレーム及びアップリンクサブフレームに区分できる。一般に、ダウンリンク及びアップリンクサブフレームは、フレームのいかなる部分もカバーできる。ダウンリンク及びアップリンクサブフレームは、送信伝送ギャップ（ＴＴＧ）及び受信伝送ギャップ（ＲＴＧ）によって分離されてもよい。
【００１７】
多くの物理サブチャネルが、規定できる。各物理サブチャネルは、隣接するか又はシステム帯域幅全体に分布することができる一組の副搬送波を含むことができる。多数の論理サブチャネルが定義されてもよく、周知のマッピングに基づいて物理サブチャネルにマップされてもよい。論理サブチャネルは、資源の割当てを単純化することができる。
【００１８】
図２に示すように、ダウンリンクサブフレームはプレアンブル、フレーム制御ヘッダ（ＦＣＨ）、ダウンリンクマップ（ＤＬ−ＭＡＰ）、アップリンクマップ（ＵＬ−マップ）及びダウンリンク（ＤＬ）バースト（downlink (DL) bursts）を含めてもよい。プリアンブルは、フレーム検出及び同期のため加入者局によって使用できる周知の送信を担ってもよい。ＦＣＨは、ＤＬ−ＭＡＰ、ＵＬ−ＭＡＰ及びダウンリンクバーストを受信するために用いるパラメータを搬送してもよい。ＤＬ−ＭＡＰは、ダウンリンクアクセスのための種々のタイプの制御情報（例えば資源配分又は割当）のための情報要素（ＩＥ）を含めることができるＤＬ−ＭＡＰメッセージを搬送することができる。ＵＬ−ＭＡＰは、アップリンクアクセスのための種々のタイプの制御情報のためのＩＥを含めることができるＵＬ−ＭＡＰメッセージを搬送することができる。ダウンリンクバーストは、サービスされている加入者局のためのデータを搬送することができる。アップリンクサブフレームはアップリンク送信を予定されている加入者局によって送信されるデータを搬送することができるアップリンクバーストを含むことができる。
【００１９】
ここに説明されているプレアンブル送信技術が、多入力単出力送信（ＭＩＳＯ）送信だけでなく多入力多出力（ＭＩＭＯ）送信のために使用することができる。技術は、また、アップリンクだけでなくダウンリンクでプレアンブル送信に使用できる。明確にするため、技術の特定の態様は、ＭＩＭＯによってダウンリンクにプレアンブル送信することを以下に説明する。
【００２０】
図３は図１における基地局の１つ及び加入者局の１つである基地局１１０及び加入者局１２０の設計のブロック図を示す。基地局１１０は、多数（Ｍ個）のアンテナ３３４ａ乃至３３４ｍを備えている。加入者局１２０は、多数（Ｒ個）のアンテナ３５２ａ乃至３５２ｒを備えている。
【００２１】
基地局１１０で、送信（ＴＸ）データプロセッサ３２０は、データソース３１２からデータを受信し、１つ以上の変調及び符号化方式に基づきデータを処理（例えば符号化及びシンボルマップ）し、データシンボルを提供することができる。ここで使用しているように、データシンボルはデータのためのシンボルであり、プレアンブルシンボルはプレアンブルのためのシンボルであり、シンボルは実数又は複素値であってもよい。データ及びプレアンブルシンボルは、ＰＳＫ又はＱＡＭのような変調方式からの変調シンボルであってもよい。プレアンブル（又は、一般に、パイロット信号）は、基地局及び加入者局の両方によって事前に知られているデータを含めることができる。ＴＸ  ＭＩＭＯプロセッサ３３０は、データ及びパイロットシンボルを処理することができ、Ｍ個の変調器（ＭＯＤ）３３２ａ乃至３３２ｍに、Ｍ個の出力シンボルストリームを提供することができる。各変調器３３２は、（例えば、ＯＦＤＭのための）出力サンプルストリームを得るためにその出力シンボルストリームを処理することができる。各変調器３３２は、更にその出力サンプルストリームを条件づける（例えば、アナログに変換し、フィルタをかけ、増幅し、アップコンバートする）ことができて、ダウンリンク信号を生成することができる。変調器３３２ａ乃至３３２ｍからのＭ個のダウンリンク信号は、アンテナ３３４ａ乃至３３４ｍをそれぞれ介して送信することができる。
【００２２】
加入者局１２０で、Ｒ個のアンテナ３５２ａ乃至３５２ｒは基地局１１０からＭ個のダウンリンク信号を受信することができ、各アンテナ３５２は関連する復調器（ＤＥＭＯＤ）３５４に受信信号を提供することができる。各復調器３５４は、入力サンプルを得るためその受信信号を条件づける（例えば、フィルタ処理し、増幅し、ダウンコンバートし、デジタル化する）ことができ、受信シンボルを得るため（例えば、ＯＦＤＭのための）入力サンプルを処理することができる。各復調器３５４は、ＭＩＭＯ検出器３６０に受信データシンボルを提供することができ、チャネルプロセッサ３９４に受信パイロットシンボルを提供することができる。チャネルプロセッサ３９４は、受信パイロットシンボルに基づいて基地局１１０から加入者局１２０へのＭＩＭＯチャネルの応答を推定することができ、ＭＩＭＯ検出器３６０にＭＩＭＯチャネル推定値を提供することができる。ＭＩＭＯ検出器３６０はＭＩＭＯチャネル推定に基づいて受信シンボルにＭＩＭＯ検出を実行することができ、送信データシンボルの推定値である、検出シンボルを提供することができる。受信（ＲＸ）データプロセッサ３７０は、検出シンボルを処理する（例えばシンボルマップ及び復号）することができ、データシンク３７２に復号化データを提供することができる。
【００２３】
加入者局１２０はチャネル状態を推定することができ、種々のタイプの情報を含む、フィードバック情報を生成することができる。データソース３７８からのフィードバック情報及びデータは、ＴＸデータプロセッサ３８０によって処理する（例えば符号化及びシンボルマップする）ことができ、ＴＸ  ＭＩＭＯプロセッサ３８２によって空間的に処理され、更にアンテナ３５２ａ乃至３５２ｒを介して送信し得る、Ｒアップリンク信号を生成するためにモジュレータ３５４ａ乃至３５４ｒによって処理することができる。基地局１１０で、加入者局１２０からのＲアップリンク信号は、アンテナ３３４ａ乃至３３４ｍによって受信され、復調器３３２ａ乃至３３２ｍによって処理され、ＭＩＭＯ検出器３３６によって空間的に処理されてもよく、更に、加入者局１２０によって送られるフィードバック情報及びデータを回復するためにＲＸデータプロセッサ３３８によって処理され（例えば、シンボル逆マップ及び復号され）てもよい。コントローラ／プロセッサ３４０は、フィードバック情報に基づいて加入者局１２０へのデータ伝送を制御することができる。
【００２４】
コントローラ／プロセッサ３４０及び３９０は基地局１１０及び加入者局１２０での動作をそれぞれ指示することができる。メモリ３４２及び３９２は基地局１１０及び加入者局１２０に対するデータ及びプログラムコードをそれぞれ記憶することができる。スケジューラ３４４は、全ての加入者局から受信されるフィードバック情報に基づいて、ダウンリンク及び／又はアップリンク上にデータ伝送するために加入者局１２０及び／又は他の加入者局をスケジュールすることができる。
【００２５】
ＩＥＥＥ  ８０２．１６はダウンリンク及びアップリンクのために直交周波数分割多重（ＯＦＤＭ）を利用する。ＯＦＤＭはシステム帯域幅を多数の直交（ＮＦＦＴ）副搬送波に区分けする。それはトーン、ビン、などと呼ぶことができる。各副搬送波は、データ又はパイロットによって変調されてもよい。副搬送波の数は、隣接した副搬送波間の周波数間隔だけでなくシステム帯域幅に依存する。例えば、ＮＦＦＴは１２８、２５６、５１２、１０２４又は２０４８に等しくてもよい。ＮＦＦＴ合計副搬送波のサブセットだけはデータ及びパイロットの送信に利用できてもよく、残りの副搬送波はシステムがスペクトルマスク条件を満たすことができるためにガード副搬送波として寄与することができる。以下の説明において、データ副搬送波はデータのために使用される副搬送波であり、パイロット副搬送波はパイロットのために使用される副搬送波である。ＯＦＤＭシンボルは、各ＯＦＤＭシンボル期間（又は簡単に、シンボル期間）において送信されることができる。各ＯＦＤＭシンボルは、データを送信するために使用されるデータ副搬送波、パイロットを送信するために使用されるパイロット副搬送波，及び／又はデータ又はパイロットのために使用されないガード副搬送波などを含めることができる。
【００２６】
図４はＯＦＤＭ変調器４００の設計のブロック図を示す。それは図３における変調器３３２ａ乃至３３２ｍ及び変調器３５４ａ乃至３５４ｒの各々に含めることができる。ＯＦＤＭ変調器４００の範囲内で、シンボル対副搬送波マッパ４１０は、出力シンボルを受信し、ＮＦＦＴ合計副搬送波にマップする。各ＯＦＤＭシンボル期間において、ユニット４１２はＮＦＦＴ−点逆離散フーリエ変換（ＩＤＦＴ）によってＮＦＦＴ合計副搬送波のためのＮＦＦＴ出力シンボルを時間領域に変換し、ＮＦＦＴ時間−領域サンプルを含む有用部分を提供する。各サンプルは、１つのチップ期間において送信されるべき複合値である。並列直列（Ｐ／Ｓ）変換器４１４は、有用部分のＮＦＦＴサンプルを連続化する。周期的プレフィックス発生器４１６は、有用部分の最後のＮＣＰサンプルをコピーし、サンプルを含むＯＦＤＭシンボルを形成するために有用部分の正面にこれらのＮＣＰサンプルを追加する。各ＯＦＤＭシンボルは、このようにＮＦＦＴサンプルの有用部分及びＮＣＰサンプルの周期的プレフィックスを含む。周期的プレフィックスはシンボル間干渉（ＩＳＩ）及び無線チャネルにおいて遅延拡散によって生じる搬送波間干渉（ＩＣＩ）に対抗する。
【００２７】
図３を参照すると、ダウンリンクにおいて、ＭＩＭＯチャネルは基地局１１０でＭ個の送信アンテナ及び加入者局１２０でＲ個の受信アンテナによって形成される。このＭＩＭＯチャネルは、Ｍ・Ｒ単入力単出力（ＳＩＳＯ）チャネル又は送受信アンテナの可能な対毎に１つのＳＩＳＯチャネルから成る。ＳＩＳＯチャネル毎のチャネル応答は、時間−領域チャネルインパルス応答又は対応する周波数−領域チャネル周波数応答のいずれかによって特徴づけることができる。チャネル周波数応答は、チャネルインパルス応答の離散フーリエ変換（ＤＦＴ）である。
【００２８】
ＳＩＳＯチャネル毎のチャネルインパルス応答はＬ時間−領域チャネルタップによって特徴づけられる。但し、Ｌは一般的にＮＦＦＴより非常に小さい。即ち、インパルスが送信アンテナに印加されれば、その時には、このインパルス刺激のために受信アンテナで取られるサンプルレートでのＬ時間−領域サンプルはＳＩＳＯチャネルの応答を特徴づけるのに十分である。チャネルインパルス応答のためのチャネルタップ（Ｌ）の必要数は、システムの遅延拡散に依存し、これは、受信アンテナに充分なエネルギーの最古と最新到達信号例の間の時間差である。
【００２９】
各ＳＩＳＯチャネルは、ＳＩＳＯチャネルのための送信アンテナと受信アンテナの間に１つ以上の伝播経路を含むことができ、伝播経路は無線環境で決定される。各経路は、特定の複合利得及び特定の遅延と関連してもよい。ＳＩＳＯチャネル毎に、Ｌチャネルタップの複合利得は、そのＳＩＳＯチャネルのための経路の複合利得によって決定される。各経路ｄ１の複合利得がゼロ又は非ゼロ値であってもよい場合に、ＳＩＳＯチャネルはこのように経路ｄ０乃至ｄＬ−１を持つチャネルプロファイルを有する。
【００３０】
典型的な周期的遅延ダイバーシティ
ここに説明したように、特定の実施形態に対して、基地局は複数の送信アンテナからプレアンブルシーケンスを送信することによって初期同期の間に送信ダイバーシティを適用することができる。特定のプレアンブルシーケンスは、シーケンスを送信するために使用される送信アンテナの数を示すために選択することができる。その結果、移動局は同時に同期を得ることができ、送信アンテナの数を決定することができる。送信アンテナの数を知った上で、移動局はプレアンブルシーケンスを送信するために使用される送信方式を知ることに基づいてＭＩＭＯチャネル推定を実行することができる。
【００３１】
特定の実施形態に対して、周期的遅延ダイバーシティ（ＣＤＤ）方式が基地局からプレアンブルシーケンスを送信するために用いることができる。周期的遅延ダイバーシティ（ＣＤＤ）は、ＭＩＭＯ送信において、エラーレートパフォーマンスを向上させることができる周波数ダイバーシティを作成するため用いることができる。周期的遅延ダイバーシティについては、以下に説明するように、送信アンテナ毎のＯＦＤＭシンボルが、異なる量だけ周期的に遅延させることができる。Ｍ個の異なる周期的遅延信号は、Ｍ個の送信アンテナから送ることができる。しかし、周期的遅延ダイバーシティは、逆にＭＩＭＯチャネル推定に影響を及ぼすかもしれない。特に、周期的に遅延信号がチャネルプロファイルでの経路遅延に整合すれば、経路を切り離すことが不可能となるかもしれない。例えば、所定の受信アンテナに対して、２つのサンプルの遅延に対する複合利得が（ｉ）周期的遅延がなく、２つのサンプルの遅延によって経路を介して受信される第１送信アンテナからのダウンリンク信号、又は（ｉｉ）１つのサンプルの周期的遅延を持ち、１つのサンプルの遅延で経路を介して受信される第２送信アンテナからのダウンリンク信号、若しくは（ｉｉｉ）２つのサンプルの周期的遅延を持ち、遅延なく経路を介して受信される第３送信アンテナからのダウンリンク信号によるものであるかどうかを決定することはできないかもしれない。
【００３２】
チャネルプロファイルが経路ｄ０乃至ｄＬ−１を有していれば、そして、Ｍ個の送信アンテナからのＭ個のダウンリンク信号がｔ０乃至ｔＭ−１の周期的遅延を有していれば、ＳＩＳＯ毎のＬ個のチャネルタップは（ｄ１＋ｔｍ）ｍｏｄ Ｔｓがインデックスｌ及びｍの全ての値に対して区別するかどうかを曖昧さなく決定することができる。但し、ｌ＝０，．．．，Ｌ−１，ｍ＝０，．．．，Ｍ−１，ＴＳは有用部分の期間であり、ＮＦＦＴサンプルに等しくでき、「ｍｏｄ」はモジュロ演算を示す。この条件は、完全な周波数再利用に適用できる。
【００３３】
本開示の一実施形態において、（ゼロの周期的遅延を持つ１つのアンテナを除いて）各送信アンテナに対する周期的遅延ｔｍはシステムにおける最大期待遅延拡散より大きくなるように選択できる。周期的プレフィックス長ＮＣＰはそれがシステムにおける最大期待遅延拡散より大きくなるように選択し得る。故に、Ｌ≦ＮＣＰである。従って、送信アンテナ毎の周期的遅延は、次のように、周期的プレフィックス長の整数倍数となるように選択されてもよい。
【数１】
0005547196.tif 000002
【００３４】
図５は、Ｍ＝４個の送信アンテナの具体的な例として式（１）から、適用周期的シフトを持つ周期的遅延ダイバーシティを示す。送信アンテナ０はゼロの周期的シフトを有してもよく、有用部分はこの送信アンテナに対してゼロサンプルだけ周期的にシフトされ、遅延されてもよい。送信アンテナ１はＮＣＰの周期的シフトを有することができ、そして、有用部分はこの送信アンテナのためのＮＣＰサンプルだけ周期的にシフトすることができる。送信アンテナ２は２ＮＣＰの周期的シフトを有することができ、そして、有用部分はこの送信アンテナのための２ＮＣＰサンプルだけ周期的にシフトすることができる。送信アンテナ３は３ＮＣＰの周期的シフトを有することができ、そして、有用部分はこの送信アンテナのための３ＮＣＰサンプルだけ周期的にシフトすることができる。
【００３５】
一般に、Ｍ個の送信アンテナに対する周期的シフト（遅延）は、次のように選択し得る：
【数２】
0005547196.tif 000003
【００３６】
式（１）はｔｍ＋１−ｔｍ＝Ｎｃｐとする、式（２）の特別なケースである。式（２）の設計はｄｌ＋ｔｍがｌとｍの全ての値に対して異なっていることを確実にする。Ｍ個全ての送信アンテナからのＬ個全ての経路に対する（完全なチャネル推定と呼ばれる）チャネル推定はＬ≦ＮＣＰである場合に曖昧さなく可能である。Ｍ個の送信アンテナに対する周期的シフトが標準化されるか又は事前に知られていれば、周期的シフトのための信号伝達を明確に送信する必要がない。
【００３７】
図６は、図３の基地局１１０で変調器３３２ａ乃至３３２ｍの設計のブロック図を示す。説明を簡単にするため、図６はＭ個の送信アンテナのためのプレアンブルを生成する処理だけを示す。基地局１１０は、加入者局１２０によってチャネル推定を容易にする方法でＭ個の送信アンテナからプレアンブルシンボルを送信することができる。プレアンブルシンボルは、一般にはＳ≦ＮＦＦＴの場合、Ｓ個の副搬送波で送ることができる。送信アンテナ０のための変調器３３２ａ内では、シンボル対副搬送波マッパ６１０ａが、プレアンブルシンボルをプレアンブル副搬送波にマップし、ゼロシンボルを残りの副搬送波にマップする。ＩＤＦＴユニット６１２ａは、ＮＦＦＴプレアンブル及びゼロシンボルにＮＦＦＴ−ポイントＩＤＦＴを実行し、ＮＦＦＴ時間−領域サンプルを提供する。Ｐ／Ｓコンバータ６１４ａは、ＮＦＦＴサンプルを順番に並べる。周期的遅延ユニット６１６ａは、送信アンテナ０のための０のサンプルだけ周期的にＮＦＦＴサンプルをシフトする。周期的プレフィックス発生器６１８ａは、周期的プレフィックスを追加し、送信アンテナ０のための第１のプレアンブルを含むＯＦＤＭシンボルを提供する。
【００３８】
変調器３３２ｂは、同様に送信アンテナ１のための第２のプレアンブルを含むＯＦＤＭシンボルを生成することができる。しかし、周期的遅延ユニット６１６ｂは、送信アンテナ１のためのＮＣＰサンプルだけ周期的にＮＦＦＴサンプルをシフトする。各残りのモジュレータ３３２は、同様に対応する送信アンテナのためのプレアンブルから成るＯＦＤＭシンボルを生成することができるが、送信アンテナｍのためのｍ・ＮＣＰサンプルだけ周期的にＮＦＦＴサンプルをシフトすることができる。
【００３９】
基地局でアンテナ構成を決定するために、送信アンテナのサポート数毎の異なるプレアンブルシーケンスは、初期同期信号として利用することができる。具体的実施例として、１つの、２つの及び４つのアンテナが基地局でサポートされる場合、初期同期信号として３つの異なるプレアンブルシーケンスを確保することが必要となるかもしれない。正確に送信アンテナの数を検出するために、同じシーケンスの周期的シフト間の自己相関がゼロに等しくなり、異なったシーケンスの周期的シフト間の相互相関はゼロにほとんど等しくなるように生成できる。
【００４０】
長期発展（ＬＴＥ）及びマイクロ波アクセスのための世界相互運用（ＷｉＭＡＸ）標準には、一組の一定振幅及びゼロ自己相関（以下に、ＣＡＺＡＣと略称する）シーケンスはモバイル加入者と基地局との間の初期同期に続いているチャネル推定のためのパイロットシーケンスとして使用できる。この開示において、ＣＡＺＡＣシーケンスは、初期同期の期間に送信アンテナの数を決定するために利用される。その後、送信されたＣＡＺＡＣシーケンスの遅延バージョンと受信サンプルを関連させることによって、及び送信アンテナの数を知ることによって、各送信アンテナと各受信アンテナとの間のチャネルインパルス応答を回復することができる。
【００４１】
送信アンテナの未知の数を有する初期アクセスのための典型的なＭＩＭＯプレアンブル
ここに記載されているように、特定の実施形態に対して、基地局は複数の送信アンテナからプレアンブルシーケンスを送信することによって初期同期の期間に送信ダイバーシティを適用することができる。特定のプレアンブルシーケンスは、シーケンスを送信するために使用される送信アンテナの数を示すために選択できる。その結果、移動局は同時に同期を得ることができ、送信アンテナの数を決定することができる。送信アンテナの数を知った上で、移動局はプレアンブルシーケンスを送信するために使用される送信方式の認識に基づいて、ＭＩＭＯチャネル推定を実行することができる。
【００４２】
図７は、シーケンス自体に基づいて、プレアンブルシーケンスを送信するために使用されるアンテナの数を決定することができる検出器のブロック図を示す。送信アンテナの数を決定した後に、検出器はＭＩＭＯチャネル推定を実行することができる。特定の実施形態に対して、基地局から送信されるプレアンブルシーケンスは、検出器が一定振幅及びゼロ自己相関（ＣＡＺＡＣ）を用いてプレアンブルシーケンスを復号できるように設計されていてもよい。ＣＡＺＡＣシーケンスは、同じＣＡＺＡＣシーケンスの周期的シフト間の自己相関がゼロに等しくなり、２つの異なるＣＡＺＡＣシーケンスの周期的シフトの相互相関がゼロにほとんど等しくなる特徴を有する。
【００４３】
図７の受信アンテナｊ毎のＮＦＦＴ受信プレアンブルシンボルは、
【数３】
0005547196.tif 000004
【００４４】
として示される。但し、ｙｊは受信アンテナｊのＮＦＦＴサンプルのための観察のＮＦＦＴ×１ベクトルであり、ＰはＮＦＦＴプレアンブルサンプルのためのＣＡＺＡＣプレアンブルシーケンスのＮＦＦＴ×Ｍ・ＮＣＰマトリックスであり、ｈｊはＭ個の送信アンテナのためのチャネル利得のＭ・ＮＣＰ×１ベクトルであり、ｎはＭ・ＮＣＰ×１ノイズベクトルである。ベクトルｈｊは、次のように定義し得る：
【数４】
0005547196.tif 000005
【００４５】
式（４）からの第１のＮＣＰ要素ｈｊ,０は送信アンテナ０に対するチャネル利得を表し、次のＮＰＣ素子ｈｊ,１は、送信アンテナ１などのためのチャネル利得を表し、最後のＮＣＰ要素はｈｊ,Ｍ−１は送信アンテナＭ−１のためのチャネル利得を表す。複数のＭ個の送信アンテナのための式（３）からのＣＡＺＡＣプレアンブルシーケンスの（ＮＦＦＴ×Ｍ・ＮＣＰ）マトリックスＰは、次のように定義することができる：
【数５】
0005547196.tif 000006
【００４６】
但し、ｐｍはサイズＮＦＦＴ×ＮＣＰのマトリックスであり、ＮＦＦＴプレアンブルサンプルの最大ＮＣＰ個の周期的シフトで構成される送信アンテナｍのためのＣＡＺＡＣプレアンブルシーケンスを表す。マトリックスｐｍ，ｍ＝０，１，…，Ｍ−１，はｍ・ＮＣＰ〜（Ｍ＋１）・ＮＣＰ−１だけオリジナルプレアンブルシーケンスの周期的シフトで構成される。異なるＣＡＺＡＣプレアンブルシーケンスは、結果としてマトリックスＰの異なる値となっている異なるサポート数の送信アンテナに対して利用できる。Ｃ個の異なるアンテナ構成が基地局でサポートされていれば、Ｃ＝３の典型的なケースに対して図７のブロック７１０で示すように、Ｃ個の異なるマトリックスＰがシステムにおいて定義することができる。送信アンテナの数Ｍが事前にわかっていないので、Ｍの値はシステムにおいてサポートされているアンテナの最大数Ｍｍａｘに固定することができる。
【００４７】
送信アンテナ決定ロジック７１２は全てのサポートされている数の送信アンテナに対応する複数のＣＡＺＡＣシーケンスと任意の受信アンテナｊで受信プレアンブルシンボルに相互に関連することができる：
【数６】
0005547196.tif 000007
【００４８】
但し、マトリックスＰＨは式（５）に基づくマトリックスのエルミート（Hermitian）バージョンである。式（６）によって定義される相互関係は、Ｐが送信アンテナの特定の構成に対して独特である場合に、全てのＣ個のサポートされる送信アンテナに対してＣ回繰り返されてもよい。
【００４９】
所定のＣＡＺＡＣシーケンスの周期的シフト間の自己相関が正確にゼロであり、２つの異なるＣＡＺＡＣシーケンスの周期的シフトの間の相互相関がほぼゼロであると言う事実を使用して、プレアンブルシーケンスが実際に上述したＣＤＤ方式を用いて送信されたことが考えられる。式（６）によって与えられる相互関係のプレアンブル仮定が送られる実際のプレアンブルに整合すれば、相互関係は送信とｊ番目受信アンテナとの全ての間にチャネルタップのベクトルを提供する。プレアンブル仮定が送られる実際のプレアンブルに整合しなければ、式（６）によって与えられる相互関係は送信とｊ番目受信アンテナの全ての間の全てのチャネルタップの線形結合を含む各位置にベクトルを提供することになる。これらの２つのケースは、相互関係出力のピーク挙動（peaky behavior）を比較することによって区別することができる。
【００５０】
したがって、送信アンテナの数Ｍは、送信アンテナ決定ロジック７１２の出力で、曖昧さなしで決定することができる。送信アンテナの特定の決定された数Ｍに対応し、式（２）の条件を満たし、全ての事前に知られている（標準化されている）シフト値ｔ０乃至ｔＭ−１によって周期的にシフトされるＣＡＺＡＣシーケンスがチャネル推定ロジック７１４に適用でき、全てのＲ個の受信アンテナからの受信プレアンブルシンボルと相互関係にあってもよい。
【００５１】
異なる周期的シフトとＣＡＺＡＣシーケンスとの自己相関がセロの結果となり、ＣＤＤ方式が送信に利用できるので、通信システムにおける各送信アンテナと各受信アンテナとの間の単入力単出力（ＳＩＳＯ）チャネルはチャネル推定ロジック７１４の出力で不明瞭なくて決定できる。
【００５２】
図８は、本開示の特定の実施形態に従って、使用する送信アンテナの数を示しているシーケンスによって、送信ダイバーシティを用いてプレアンブルシーケンスを送信するための実施例動作８００を示す。動作８００は、図６に示されるそれらのような、一群の変調器を用いてＣＤＤ方式を介して複数の送信アンテナからプレアンブルシーケンスを送信するために、例えば、基地局１１０によって実行することができる。
【００５３】
この動作はＭＩＭＯ送信に使用するため送信アンテナの数を決定することによって、８０２で、開始される。例えば、基地局は２Ｎ個のアンテナ（例えば、１、２、４又は８）を用いて送信するように構成することができる。８０４で、アンテナの決定された数に対応するプレアンブルシーケンスが選択され、８０６で、選択されたプレアンブルシーケンスがその数のアンテナから送信される。プレアンブルシーケンスを首尾よく復号すると、受信移動局は、送信アンテナの数を知っていることができ、故に、ＭＩＭＯチャネル推定を実行することが可能になる。
【００５４】
図９は、例えば、送信プレアンブルシーケンスを受信している移動局で実行することができる実施例動作９００を示す。９０２で、プレアンブルシンボルのためのサンプルは、多くの送信アンテナから受信される。９０４で、送信プレアンブルシーケンスを識別するために、相互関係は既知のプレアンブルシーケンスによって受信シンボルに実行される。
【００５５】
上記の通りに、ｍ番目のプレアンブルシーケンスがｍ番目の周期的遅延に基づいて発生することができ、ｍ番目の送信アンテナから送信することができる。但し、ｍ＝１、２、…、Ｍである。このように、最初の受信アンテナで受信復調されたプレアンブルシーケンスは、Ｃ個全てのサポートされた数の送信アンテナに対応するＣＡＺＡＣシーケンスと関連させることができる。例えば、周期的にシフトされない（又は、セロサンプルだけ同等に、周期的にシフトされる）ＣＡＺＡＣシーケンスは受信機で使用されてもよい。相互関係の結果、送信機で利用されたアンテナの数に関する特異情報が決定し得る。
【００５６】
９０４で、アンテナの数を使用して、チャネル推定は、各送信−受信機対毎に得ることができる。例えば、既知の送信アンテナの数については、全ての事前定義周期的シフト値によって周期的にシフトされる対応するＣＡＺＡＣプレアンブルシーケンスは、受信アンテナ毎に受信復調プレアンブルシーケンスを相関することができる。その結果、各送信アンテナと各受信アンテナとの間のチャネル利得の推定値が求めることができる。
【００５７】
上記した方法の種々の動作は、種々のハードウェア及び／又はソフトウェアコンポーネント及び／又は図に示されたミーンズプラスファンクションブロックに対応するモジュールによって実行し得る。通常、対応する同等のミーンズプラスファンクション図を有する図に示される方法がある場合、動作ブロックは類似した番号付けを有するミーンズプラスファンクションブロックと対応する。例えば、図８に示されるブロック８０２−８０６は、図８Ａに示されるミーンズプラスファンクションブロック８０２Ａ−８０６Ａと対応する。同様に、図９に示されるブロック９０２−９０６は、図９Ａに示されるミーンズプラスファンクションブロック９０２Ａ−９０６Ａと対応する。
【００５８】
本開示と関連して説明されている種々の図示するロジックブロック、モジュール及び回路は汎用プロセッサ、デジタル信号プロセッサ（ＤＳＰ）、特定用途向け集積回路（ＡＳＩＣ）、フィールドプログラマブルゲートアレイ信号（ＦＰＧＡ）又は他のプログラム可能な論理装置（ＰＬＤ）、個別のゲート又はトランジスタロジック、別個のハードウェアコンポーネント又はここに記載された機能を実行するように設計された任意の組み合わせによって実施され又は実行されてもよい。汎用プロセッサはマイクロプロセッサであってもよい、しかし、択一的に、プロセッサはいかなる市販のプロセッサも、コントローラ、マイクロコントローラ又は状態装置であってもよい。プロセッサは、また、計算装置の組み合わせ、例えば、ＤＳＰと一台のマイクロプロセッサ、複数のマイクロプロセッサ、ＤＳＰコアと関連する１以上のマイクロプロセッサ、又は他のそのような構成との組み合わせとして実施されてもよい。
【００５９】
本開示と関連して説明されている方法又はアルゴリズムのステップはハードウェアで、プロセッサによって実施されるソフトウェアモジュールで、又は２つの組み合わせで直接的に実施されてもよい。ソフトウェアモジュールは、従来技術において周知である記憶媒体のいかなる形態で存在してもよい。使用できる記憶媒体の幾つかの例は、ランダムアクセスメモリ（ＲＡＭ）、読出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭその他を含む。ソフトウェアモジュールは、単一の命令又は多くの命令を含むことができ、異なるプログラムの中で、異なるいくつかのコードセグメント全体に、及び多数の記憶媒体にわたって配信されてもよい。記憶媒体はプロセッサが情報を記憶媒体から読み込むことができ、記憶媒体に書き込むことができるようにプロセッサに接続できる。或いは、記憶媒体はプロセッサに一体化されてもよい。
【００６０】
ここに開示される方法は、記載されている方法を実現するために１つ以上のステップ又は作用を含む。方法ステップ及び／又は作用は、請求項の範囲を逸脱しないで互いに交換可能であってもよい。即ち、ステップ又は作用の特定の順序が特定されない限り、特定のステップ及び／又は作用の順序及び／又は使用は請求項の範囲を逸脱しないで変更してもよい。
【００６１】
記載されている機能は、ハードウェア、ソフトウェア、ファームウェア又はそのいかなる組合せで実施されてもよい。ソフトウェアで実施される場合、機能はコンピュータ可読媒体の１つ以上の命令として記憶することができる。記憶媒体は、コンピュータによってアクセスすることができるいかなる利用可能な媒体でもあってもよい。例えば、この例に限らないが、この種のコンピュータ可読媒体はＲＡＭ、ＲＯＭ、ＥＥＰＲＯＭ、ＣＤ−ＲＯＭ又は他の光学ディスク記憶装置、磁気ディスク記憶装置又は他の磁気記憶装置、又は命令又はデータ構造の形態で所望のプロ部ラムコードを配布し、記憶するために使用でき、コンピュータによってアクセスできる他の媒体であってもよい。ここで使用されるような、ディスク（ｄｉｓｋ）及びディスク（ｄｉｓｃ）はコンパクトディスク（ＣＤ）、レーザーディスク（登録商標）、光ディスク、デジタルバーサタイルディスク（ＤＶＤ）、フロッピー（登録商標）ディスク及びブルーレイを含んでいるが、ディスク（ｄｉｓｋ）は通常、データを磁気的に再生し、これに対してディスク（ｄｉｓｃ）はレーザーによって光学的にデータを再生する。
【００６２】
ソフトウェア又は命令は、また、送信媒体を通じて送信することができる。例えば、ソフトウェアがウェブサイト、サーバ又は同軸ケーブル、光ファイバーケーブル、ツイストペア、デジタル加入者回線（ＤＳＬ）又は無線技術（例えば赤外線、ラジオ及びマイクロ波）を使用している他の遠隔ソースから送信される場合、同軸ケーブル、光ファイバーケーブル、ツイストペア、ＤＳＬ又は赤外線、無線及びマイクロ波のような無線技術が送信媒体の定義に含まれる。
【００６３】
更に、ここに記載されている方法及び手法を実行するモジュール及び／又は他の適切な手段はダウンロードでき及び／又はユーザ端末及び／又は基地局によって得ることができることは言うまでもない。例えば、そのような装置は、ここに記載されている方法を実行するための手段の配送を容易にするためにサーバに接続することができる。或いは、ここに記載されている種々の方法は格納手段（例えばＲＡＭ、ＲＯＭ、物理的な記憶媒体（例えばコンパクトディスク（ＣＤ）又はフロッピーディスク、など）を介して提供でき、それにより、ユーザ端末及び／又は基地局は記憶手段を装置に接続するか又は提供することができる。さらに、ここに記載された方法及び手法を装置に提供するための他の適切な手法が利用できる。
【００６４】
請求項は上述した正確な構成及びコンポーネントに限定されないことは理解されるはずである。種々の変形例、変更及びバリエーションは、請求項の範囲から逸脱しないで上述した方法及び装置の配置、動作及び詳細においてなし得る。
以下に本件出願当初の特許請求の範囲に記載された発明を付記する。
［Ｃ１］多入力多出力（ＭＩＭＯ）通信システムの無線通信のための方法であって、１つ以上の受信アンテナから受信されるシンボルに基づいてプレアンブルシーケンスを復号化すること、復号化プレアンブルシーケンスに基づいて、送信アンテナの数を決定すること、を含む、方法。
［Ｃ２］前記復号化プレアンブルシーケンスに基づいて送信アンテナを決定することは：
前記プレアンブルシーケンスを送信するため送信アンテナの数を決定することを含む、Ｃ１の方法。
［Ｃ３］前記プレアンブルシーケンスを復号化することは、受信復調されたプレアンブルシーケンスを送信アンテナの異なる数に対応する複数の既知のプレアンブルシーケンスに関連させることを含む、Ｃ１の方法。
［Ｃ４］前記プレアンブルシーケンスは一定振幅及びゼロ自己相関（ＣＡＺＡＣ）シーケンスで送信され、受信復調プレアンブルシーケンスを複数の既知のプレアンブルシーケンスに相互関連させることは前記受信復調プレアンブルを送信アンテナの異なる数に対応する複数の既知のＣＡＺＡＣと相互関連させることを含む、Ｃ３の方法。
［Ｃ５］前記プレアンブルシーケンスは周期的遅延ダイバーシティ（ＣＤＤ）送信方式を用いて複数の送信アンテナから送信される、Ｃ４の方法。
［Ｃ６］複数対の送受信アンテナに対してチャネル推定を行うことを更に含む、Ｃ１の方法。
［Ｃ７］多入力多出力（ＭＩＭＯ）通信システムの無線通信のための方法であって、送信に使用する送信アンテナの数を決定すること、送信アンテナの異なる数に対応する複数のプレアンブルシーケンスから、送信アンテナの前記決定された数に対応するプレアンブルシーケンスを選択すること；前記決定された数の送信アンテナから選択されたプレアンブルシーケンスを送信すること、を含む、方法。
［Ｃ８］前記選択されたプレアンブルシーケンスは、送信アンテナの異なる数に対応する複数のＣＡＺＡＣから選択される一定振幅及びゼロ自己相関（ＣＡＺＡＣ）シーケンスである、Ｃ７の方法。
［Ｃ９］前記決定された数の送信アンテナから前記選択されたプレアンブルシーケンスを送信することは、周期的遅延ダイバーシティ（ＣＤＤ）送信方式を用いて複数の送信アンテナから前記プレアンブルシーケンスを送信すること、を含む、Ｃ８の方法。
［Ｃ１０］多入力多出力（ＭＩＭＯ）通信システムの無線通信のための装置であって、１つ以上の受信アンテナから受信されるシンボルに基づいてプレアンブルシーケンスを復号化するロジックと、復号化プレアンブルシーケンスに基づいて、送信アンテナの数を決定するロジックと、を含む、装置。
［Ｃ１１］送信アンテナの数を決定する前記ロジックは前記プレアンブルシーケンスを送信するために用いられる送信アンテナの数を決定するように構成される、Ｃ１０の装置。
［Ｃ１２］前記プレアンブルシーケンスを復号するロジックは、受信復調プレアンブルシーケンスを送信アンテナの異なる数に対応する複数の既知のプレアンブルシーケンスと相互関連させるように構成される、Ｃ１０の装置。
［Ｃ１３］前記プレアンブルシーケンスは一定振幅及びゼロ自己相関（ＣＡＺＡＣ）シーケンスで送信され、前記プレアンブルシーケンスを復号する前記ロジックは受信復調プレアンブルシーケンスを複数の既知プレアンブルシーケンスと相互関連させるよう構成され、前記受信復調プレアンブルシーケンスを送信アンテナの異なる数に対応する複数の既知のＣＡＺＡＣと相互関連させることを含む、Ｃ１２の装置。
［Ｃ１４］前記プレアンブルシーケンスは周期的遅延ダイバーシティ（ＣＤＤ）送信方式を用いて複数の送信アンテナから送信される、Ｃ１３の装置。
［Ｃ１５］複数対の送受信アンテナに対してチャネル推定を行うロジックを更に含む、Ｃ１０の装置。
［Ｃ１６］多入力多出力（ＭＩＭＯ）通信システムの無線通信のための装置であって、送信に使用する送信アンテナの数を決定するロジックと、送信アンテナの異なる数に対応する複数のプレアンブルシーケンスから、送信アンテナの前記決定された数に対応するプレアンブルシーケンスを選択するロジックと；前記決定された数の送信アンテナから前記選択されたプレアンブルシーケンスを送信するロジックと、を含む装置。
［Ｃ１７］前記選択されたプレアンブルシーケンスは送信アンテナの異なる数に対応する複数のＣＡＺＡＣシーケンスから選択される、一定振幅及びゼロ自己相関（ＣＡＺＡＣ）シーケンスである、Ｃ１６の装置。
［Ｃ１８］前記決定された数の送信アンテナから、前記選択されたプレアンブルシーケンスを送信する前記ロジックは、周期的遅延ダイバーシティ（ＣＤＤ）送信方式を用いて複数の送信アンテナから前記プレアンブルシーケンスを送信するように構成される、Ｃ１７の装置。
［Ｃ１９］多入力多出力（ＭＩＭＯ）通信システムの無線通信のための装置であって、１つ以上の受信アンテナから受信されるシンボルに基づいてプレアンブルシーケンスを復号化する手段と、前記復号化プレアンブルシーケンスに基づいて、送信アンテナの数を決定する手段と、を具備する装置。
［Ｃ２０］送信アンテナの数を決定する前記手段は前記プレアンブルシーケンスを送信するために用いられる送信アンテナの数を決定するように構成される、Ｃ１９の装置。
［Ｃ２１］プレアンブルシーケンスを復号化する手段は、受信復調されたプレアンブルシーケンスを送信アンテナの異なる数に対応する複数の既知のプレアンブルシーケンスに関連させるように構成される、Ｃ１９の装置。
［Ｃ２２］前記プレアンブルシーケンスは一定振幅及びゼロ自己相関（ＣＡＺＡＣ）シーケンスで送信され、前記プレアンブルシーケンスを復号化する前記手段は受信復調されたプレアンブルシーケンスを複数の既知のプレアンブルシーケンスに関連させるように構成され、送信アンテナの異なる数に対応する複数の既知のＣＡＺＡＣシーケンスと相互関連させることを含む、Ｃ２１の装置。
［Ｃ２３］前記プレアンブルシーケンスは周期的遅延ダイバーシティ（ＣＤＤ）送信方式を用いて複数の送信アンテナから送信される、Ｃ２２の装置。
［Ｃ２４］複数対の送受信アンテナに対してチャネル推定を行う手段を更に含む、Ｃ１９の装置。
［Ｃ２５］多入力多出力（ＭＩＭＯ）通信システムの無線通信のための装置であって、送信に使用する送信アンテナの数を決定する手段と、送信アンテナの異なる数に対応する複数のプレアンブルシーケンスから、送信アンテナの前記決定された数に対応するプレアンブルシーケンスを選択する手段と；前記決定された数の送信アンテナから前記選択されたプレアンブルシーケンスを送信する手段と、を具備する装置。
［Ｃ２６］前記選択されたプレアンブルシーケンスは送信アンテナの異なる数に対応する複数のＣＡＺＡＣシーケンスから選択される、一定振幅及びゼロ自己相関（ＣＡＺＡＣ）シーケンスである、Ｃ２５の装置。
［Ｃ２７］前記決定された数の送信アンテナから、前記選択されたプレアンブルシーケンスを送信する前記手段は、周期的遅延ダイバーシティ（ＣＤＤ）送信方式を用いて複数の送信アンテナから前記プレアンブルシーケンスを送信するように構成される、Ｃ２６の装置。
［Ｃ２８］多入力多出力（ＭＩＭＯ）通信システムの無線通信のためのコンピュータプログラム製品であって、１つ以上の受信アンテナから受信されるシンボルに基づいてプレアンブルシーケンスを復号化する命令と、前記復号化プレアンブルシーケンスに基づいて、送信アンテナの数を決定する命令と、を含む、コンピュータプログラム製品。
［Ｃ２９］前記復号化プレアンブルシーケンスに基づいて、送信アンテナの数を決定する前記命令は、前記プレアンブルシーケンスを送信するために使用される送信アンテナの数を決定する命令を、含む、コンピュータプログラム製品。
［Ｃ３０］前記プレアンブルシーケンスを復号化するための命令は、受信復調プレアンブルシーケンスを送信アンテナの異なる数に対応する複数の既知のプレアンブルシーケンスと相互関連させる命令を、含むＣ２８のコンピュータプログラム製品。
［Ｃ３１］前記プレアンブルシーケンスは一定振幅及びゼロ自己相関（ＣＡＺＡＣ）シーケンスで送信され、受信復調プレアンブルシーケンスを複数の既知プレアンブルシーケンスと相互関連させる命令は前記受信復調プレアンブルシーケンスを送信アンテナの異なる数に対応する複数の既知のＣＡＺＡＣと相互関連させる命令を含む、Ｃ３０のコンピュータプログラム製品。
［Ｃ３２］前記プレアンブルシーケンスは周期的遅延ダイバーシティ（ＣＤＤ）送信方式を用いて複数の送信アンテナから送信される、Ｃ３１のコンピュータプログラム製品。
［Ｃ３３］複数対の送受信アンテナに対してチャネル推定を行う命令を更に含む、Ｃ２８のコンピュータプログラム製品。
［Ｃ３４］多入力多出力（ＭＩＭＯ）通信システムの無線通信のためのコンピュータプログラム製品であって、送信に使用する送信アンテナの数を決定する命令と、送信アンテナの異なる数に対応する複数のプレアンブルシーケンスから、送信アンテナの前記決定された数に対応するプレアンブルシーケンスを選択する命令と、前記決定された数の送信アンテナから選択されたプレアンブルシーケンスを送信する命令と、を含むコンピュータプログラム製品。
［Ｃ３５］前記選択されたプレアンブルシーケンスは送信アンテナの異なる数に対応する複数のＣＡＺＡＣシーケンスから選択される、一定振幅及びゼロ自己相関（ＣＡＺＡＣ）シーケンスである、Ｃ３４のコンピュータプログラム製品。
［Ｃ３６］前記決定された数の送信アンテナから、前記選択されたプレアンブルシーケンスを送信する前記命令は、周期的遅延ダイバーシティ（ＣＤＤ）送信方式を用いて複数の送信アンテナから前記プレアンブルシーケンスを送信する命令を含む、Ｃ３５のコンピュータプログラム製品。
【図１】
0005547196.tif 000008
【図２】
0005547196.tif 000009
【図３】
0005547196.tif 000010
【図４】
0005547196.tif 000011
【図５】
0005547196.tif 000012
【図６】
0005547196.tif 000013
【図７】
0005547196.tif 000014
【図８】
0005547196.tif 000015
【図８Ａ】
0005547196.tif 000016
【図９】
0005547196.tif 000017
【図９Ａ】
0005547196.tif 000018